(57)【要約】【課題】風況予測の精度をより向上させること。【解決手段】風向き及び風速に関する風況を予測する風況予測システムが提供される。この風況予測システムは、過去の風況から予測されるメッシュエリアの風況を示す風況モデルデータと、メッシュエリアの特定地点における風況の実測データと、が格納される記憶手段と、メッシュエリアの地形データを用いて地形の影響を風況モデルデータに反映させる補正を実施して補正データを生成する第１の補正手段と、特定地点における補正データと実測データとの時間相関が所定の閾値より大きくなるように補正データを補正する計算式を生成する第２の補正手段と、計算式と風況モデルデータとに基づいて特定地点における風況を予測する予測手段と、を有する。【選択図】図２
2020159725.tif 000002
【特許請求の範囲】
【請求項１】
風向き及び風速に関する風況を予測する風況予測システムであって、
過去の風況から予測されるメッシュエリアの風況を示す風況モデルデータと、前記メッシュエリアの特定地点における風況の実測データと、が格納される記憶手段と、
前記メッシュエリアの地形データを用いて地形の影響を前記風況モデルデータに反映させる補正を実施して補正データを生成する第１の補正手段と、
前記特定地点における前記補正データと前記実測データとの時間相関が所定の閾値より大きくなるように前記補正データを補正する計算式を生成する第２の補正手段と、
前記計算式と前記風況モデルデータとに基づいて前記特定地点における風況を予測する予測手段と、を有する、風況予測システム。
【請求項２】
前記実測データは、第１の期間に前記特定地点で実測された風況のデータであり、
前記予測手段は、前記第１の期間より長い第２の期間における前記風況モデルデータと前記計算式とに基づいて前記特定地点における風況を予測する
請求項１に記載の風況予測システム。
【請求項３】
前記第２の補正手段は、前記過去の風況を観測した地点から前記特定地点まで風況が伝搬する時間を遅延時間として計算し、前記遅延時間の分だけ時間軸上で前記補正データを遅延させる第１の補正式を前記計算式に含める
請求項２に記載の風況予測システム。
【請求項４】
前記記憶手段には、季節毎に異なる風況の特徴を示す季節データが格納され、
前記第２の補正手段は、前記第２の期間のうち前記第１の期間とは季節が異なる期間について前記風況を予測するとき、前記季節データに基づいて前記補正データに前記風況の特徴の違いを反映させる第２の補正式を前記計算式に含める
請求項２又は３に記載の風況予測システム。
【請求項５】
前記風況モデルデータは、ＧＰＶ（Grid Point Value）データである
請求項１〜４のいずれか１項に記載の風況予測システム。
【請求項６】
前記実測データは、前記特定地点に設置されたドップラーソーダ及び／又はドップラーライダにより測定されたデータである
請求項１〜５のいずれか１項に記載の風況予測システム。
【請求項７】
前記風況モデルデータは、前記メッシュエリアの内部で一様な風況を示し、
前記第１の補正手段は、前記風況モデルデータが示す風向きに基づいて、矩形の前記メッシュエリアを形成する４つの辺のうち、他のメッシュエリアから風が流入する前記メッシュエリアの辺を特定し、特定した前記メッシュエリアの辺から風況が伝搬することを境界条件とするシミュレーションを実施して前記補正データを生成する
請求項１〜６のいずれか１項に記載の風況予測システム。
【請求項８】
風向き及び風速に関する風況を予測する風況予測方法であって、
コンピュータが、
過去の風況から予測されるメッシュエリアの風況を示す風況モデルデータを取得し、
前記メッシュエリアの特定地点に設置されたドップラーソーダ及び／又はドップラーライダにより測定される風況の実測データを取得し、
前記メッシュエリアの地形データを用いて地形の影響を前記風況モデルデータに反映させる補正を実施して補正データを生成し、
前記特定地点における前記補正データと前記実測データとの時間相関が所定の閾値より大きくなるように前記補正データを補正する計算式を生成し、
前記計算式と前記風況モデルデータとに基づいて前記特定地点における風況を予測する、風況予測方法。
【発明の詳細な説明】
【技術分野】
【０００１】
本発明は、風況予測システム、及び風況予測方法に関する。
【背景技術】
【０００２】
再生可能エネルギーへの関心が高まる中、風力発電機の普及が急速に拡大しつつある。しかし、風力発電機の稼働率は、それを設置する場所における風況（例えば、風速及び風向）の変化に大きく影響される。そのため、風力発電機の性能を引き出すには、好適な風況が期待できる場所に風力発電機を設置することが求められる。
【０００３】
風力発電機の設置場所は、候補地に風況観測タワーを設置して実際に得られる風況観測の結果に基づいて決定される。そのため、風況観測タワーの設置に大きなコストがかかる。最近では、風力発電機の大型化に伴って６０ｍから１００ｍ又はそれ以上の高度でデータを取得できる風況観測タワーが必要になり、設置場所の制限（特に山岳部では資材の搬入及び設置自体に困難を伴う。）及び設置コストの負担が増大している。
【０００４】
また、実際に風況観測タワーを設置しても、期待する風況の条件を満たさなければ風力発電機の設置が見送られる。つまり、風況観測タワーの設置コスト及び風況観測にかかった時間が全て無駄になる。そのため、風況を予測するシステムの実現が望まれている。
【０００５】
風況の予測に関し、通年データ及びスポット観測データを用いて風の関係を特定し、その関係を表す予測表を予測用コンピュータで作成する方法が提案されている（特許文献１を参照）。また、地形要因を考慮して風況を予測する風況予測シミュレータ（RIAM-COMPACT（登録商標））が提案されている（非特許文献１を参照）。
【先行技術文献】
【特許文献】
【０００６】
【特許文献１】特開2005-10082号公報
【非特許文献】
【０００７】
【非特許文献１】http://www.riam.kyushu-u.ac.jp/windeng/aboutus.html（2018年3月7日取得）
【発明の概要】
【発明が解決しようとする課題】
【０００８】
上記の風況予測シミュレータを利用することで、好適な風況予測を実現できる。しかしながら、風力発電機の設置には多額の費用がかかることから、設置後に期待した風況が得られないという事態は極力避けねばならず、風況予測の精度は高いほどよい。また、再生可能エネルギーの普及を加速させる観点から、１カ所の風況評価にかかる期間を短縮して、多くの好適な場所に風力発電機を設置したいという要望もある。
【０００９】
そこで、本発明の１つの観点によれば、本発明の目的は、風況予測の精度をより向上させることが可能な風況予測システム、及び風況予測方法を提供することにある。
【課題を解決するための手段】
【００１０】
本発明の一態様によれば、風向き及び風速に関する風況を予測する風況予測システムであって、過去の風況から予測されるメッシュエリアの風況を示す風況モデルデータと、メッシュエリアの特定地点における風況の実測データと、が格納される記憶手段と、メッシュエリアの地形データを用いて地形の影響を風況モデルデータに反映させる補正を実施して補正データを生成する第１の補正手段と、特定地点における補正データと実測データとの時間相関が所定の閾値より大きくなるように補正データを補正する計算式を生成する第２の補正手段と、計算式と風況モデルデータとに基づいて特定地点における風況を予測する予測手段と、を有する、風況予測システムが提供される。
【発明の効果】
【００１１】
本発明によれば、風況予測の精度をより向上させることが可能になる。
【図面の簡単な説明】
【００１２】
【図１】気象モデル及び風況の地形依存性について説明するための説明図である。
【図２】本発明の一実施形態に係る風況予測システムが有する機能の一例を示したブロック図である。
【図３】本発明の一実施形態に係る風況予測方法について説明するための説明図である。
【図４】本発明の一実施形態に係る地形補正及び風況予測について説明するための説明図である。
【図５】本発明の一実施形態に係る季節補正について説明するための説明図である。
【図６】本発明の一実施形態に係る時間補正について説明するための説明図である。
【図７】本発明の一実施形態に係る風況予測システムの機能を実現可能な情報処理装置のハードウェア構成例を示したブロック図である。
【発明を実施するための形態】
【００１３】
以下に添付図面を参照しながら、本発明の実施形態について説明する。なお、本明細書及び図面において実質的に同一の機能を有する要素については、同一の符号を付することにより重複説明を省略する場合がある。
【００１４】
［１．気象モデル及び風況の地形依存性］
まず、図１を参照しながら、気象モデル及び風況の地形依存性について説明する。図１は、気象モデル及び風況の地形依存性について説明するための説明図である。
【００１５】
現在、風況に関するデータとして、ＮＥＤＯ（New Energy and Industrial Technology Development Organization）の局所風況マップや環境省の風況マップがある。しかし、候補地に風況観測タワーを設置して観測した風況データと、これらのマップで示される風況データとの間には大きな乖離が見られることがある。その理由としては、候補地の高度と、気象庁観測所の風速計がある高度とが異なることなどが考えられる。
【００１６】
また、気象庁は、全球数値予報モデルＧＰＶ及びメソ数値予報モデルＧＰＶ（ＭＳＭ）などの予測データを公開している。ＭＳＭは気象モデルの一例である。ＭＳＭの予測データ（ＭＳＭデータ）は、日本及びその周辺の大気を対象とし、スーパーコンピュータを利用して、未来の気温、風、水蒸気量、日射量などの状態を予測したデータである。
【００１７】
ＭＳＭデータの計算は、対象地域を一辺が５ｋｍの矩形グリッドに分割し、さらに、各矩形グリッドについて所定高度の範囲を考慮した３次元グリッドを規定して、各３次元グリッドを単位として実行される。図１の上図は、気象モデルによる予測データの一例として、ある地域の風向マップを模式的に示している。この例では、ある地域がメッシュ状に区切られ、各グリッド（メッシュエリア）における風向が示されている。
【００１８】
ＭＳＭデータの場合、グリッドの各辺の長さｄｘ、ｄｙは５ｋｍである。風力発電機（以下、風車）は、強風と凪とが不定期に訪れる地域よりも、安定的に好適な風量が期待できる地域に設置されることが好ましい。そのため、日本では山岳部が風車の有力な設置候補地となる。山岳部では、５ｋｍ四方のグリッド内で大きな高低差が生じうる。
【００１９】
図１の下図は、ある地域の詳細な地形を示す例として、その地域の等高線図を模式的に示している。なお、図１の下図では、高度が高くなるにつれてハッチングが濃くなるようにし、ハッチングの濃度により高度を表現している。また、この図には、一例として、風車の設置候補地Ｐ０、Ｐ１、Ｐ２を示した。
【００２０】
Ｐ０は、Ｐ１、Ｐ２に比べて低く、近くに道路が通っている地点である。Ｐ１は、Ｐ０より高く、Ｐ２より低い地点である。また、Ｐ１は、道路から離れている。Ｐ２は、Ｐ０、Ｐ１に比べて高い地点である。風車を設置する場合、Ｐ２のように高度が高い地点に設置されることが多い。また、各地点で実測されるデータとＭＳＭデータとの乖離は、Ｐ０、Ｐ１のような低地に比べ、Ｐ２のような高地で大きくなる傾向にある。
【００２１】
上記の乖離を低減するためにグリッドのｄｘ、ｄｙを小さくしてシミュレーションによる予測精度を改善する手法も検討されている。しかし、地形の複雑さや、図１の下図にある道路などが影響して、実現可能なグリッドサイズの縮小（演算性能、演算時間、演算コストなどによる限界がある。）だけでは十分な精度が得られないことがある。
【００２２】
上記のような事情を考慮し、本実施形態では、ＭＳＭデータなど、気象モデルに基づく予測データ（以下、モデルデータ）を利用し、実際に設置候補地で観測された風況データ、及び詳細な地形などを考慮して補正を実施することで、その設置候補地における風況を高精度に予測する風況予測システムについて説明する。
【００２３】
［２．風況予測システム］
以下、本発明の一実施形態に係る風況予測システム、及びその風況予測システムにより実現される風況予測方法について説明する。
【００２４】
（２−１．機能）
図２を参照しながら、風況予測システム１０の機能について説明する。図２は、本発明の一実施形態に係る風況予測システムが有する機能の一例を示したブロック図である。なお、風況予測システム１０は、本実施形態に係る風況予測システムの一例である。
【００２５】
図２に示すように、風況予測システム１０は、記憶部１１、相関式生成部１２、地形補正部１３、時間補正部１４、季節補正部１５、及び風況予測部１６を有する。なお、記憶部１１は、記憶手段の一例である。相関式生成部１２は、第２の補正手段の一例である。地形補正部１３、時間補正部１４、及び季節補正部１５は、第１の補正手段の一例である。風況予測部１６は、予測手段の一例である。
【００２６】
記憶部１１には、モデルデータ１１ａ、実測データ１１ｂ、観測地情報１１ｃ、及び季節データ１１ｄが格納される。
【００２７】
モデルデータ１１ａは、気象モデルに基づく予測データである。例えば、モデルデータ１１ａは、気象庁システム３０からネットワークＮＷを介して取得可能なＭＳＭデータである。なお、気象庁システム３０は、気象庁から提供される予測データを公開するシステムである。ネットワークＮＷは、ＷＡＮ（Wide Area Network）やＬＡＮ（Local Area Network）などの通信ネットワークである。
【００２８】
実測データ１１ｂは、風車の設置候補地で実際に測定された風況データである。例えば、実測データ１１ｂは、音波利用風況観測装置（ドップラーソーダ）、電波利用風況観測装置（ドップラーライダ）、風況観測タワーなどの風況観測装置を利用して測定される。なお、コスト負担や設置負担を考えるとドップラーソーダを利用することが好ましいため、図２の例ではドップラーソーダ２０を模式的に記載している。
【００２９】
観測地情報１１ｃは、モデルデータ１１ａの計算に利用される元データ（実際の観測データ）を取得した地点（例えば、気象庁観測所の風速計がある地点；以下、観測地）に関する情報である。例えば、観測地情報１１ｃは、観測地の緯度、経度、高度などの位置情報と、観測地の地名などの情報とを対応付けたデータベースである。
【００３０】
季節データ１１ｄは、各季節（春、夏、秋、冬など）における風況の傾向を示すデータである。例えば、季節データ１１ｄは、各季節において、どの方位で、どのくらいの風量が得られるかを示すデータ、或いは、特定の方向（風車を向ける方向）における季節間の風量変化などを示すデータである。
【００３１】
相関式生成部１２は、モデルデータ１１ａ及び実測データ１１ｂを用いて相関式を生成する。相関式は、設置候補地を含むグリッド（以下、対象グリッド）のモデルデータ１１ａから、その設置候補地における風況データの予測値を計算する計算式である。但し、相関式生成部１２は、地形補正部１３、時間補正部１４、及び季節補正部１５による補正を利用して相関式による予測値の精度を改善する。
【００３２】
地形補正部１３は、対象グリッド内の詳細な地形を考慮した風況予測シミュレーション（例えば、RIAM-COMPACT（登録商標）の方式を採用する。）、対象グリッドのモデルデータ１１ａから設置候補地における風況データを再現する。以下、説明の都合上、地形補正部１３により再現される風況データを「地形補正データ」と呼ぶ場合がある。
【００３３】
地形補正部１３は、実測データ１１ｂと同じ期間（例えば、１ヶ月間）のモデルデータ１１ａから地形補正データを生成し、相関式生成部１２に入力する。なお、地形補正は、高度補正、空間補正、方位別風速比及び乱流解析と診断からなる補正を含みうる。
【００３４】
時間補正部１４は、観測地情報１１ｃを利用して相関式の入力又は出力に遅延補正を加えるための遅延補正式を生成する。遅延補正は、観測地と設置候補地との間の距離を風況が移動するのにかかる時間の分だけモデルデータ１１ａと実測データ１１ｂとの間に生じる時間のずれを補正（時間シフト）する処理である。時間補正部１４は、観測地情報１１ｃに基づいて生成した遅延補正式を相関式生成部１２に入力する。
【００３５】
季節補正部１５は、季節データ１１ｄを利用して相関式の出力に季節補正を加えるための季節補正式を生成する。季節補正は、季節の違いにより風況の方位分布が変化する性質を考慮し、対象となる方位における風況の差を補正する処理である。
【００３６】
例えば、季節補正部１５は、対象グリッドにおける風況の方位分布に基づき、基準となる季節（例えば、冬）における各方位の重み値を１として、各季節における各方位の重み値を計算する。一例として、冬の北東における風速比が５、夏の北東における風速比が１、基準の季節が冬の場合、夏における北東の重み値は１／５となる。季節補正部１５は、相関式で予測する季節及び方位に対応する重み値を相関式の出力に適用するための季節補正式を生成し、相関式生成部１２に入力する。
【００３７】
相関式生成部１２は、地形補正データ及び実測データ１１ｂに基づいて相関式を生成する。例えば、相関式生成部１２は、時間補正部１４から入力される時間補正式を利用して地形補正データを時間シフトさせる。また、相関式生成部１２は、時間シフトした地形補正データを入力とし、実測データ１１ｂを再現する相関式を生成する。
【００３８】
相関式の生成方法としては、例えば、相関式に含める演算要素の集合（四則演算を含む関数群）を用意し、演算要素の組み合わせを変えながら相関式の出力と実測データ１１ｂとの相関係数が所定値（例えば、０．９など）以上となる組み合わせを選択する手法を適用できる。また、ニューラルネットワークや遺伝的アルゴリズムなどの高度な学習手法を適用して相関式を生成することも可能である。但し、相関式の生成方法はこれらの例に限定されず、現在又は将来において知られた任意の手法を適用可能である。
【００３９】
相関式生成部１２は、相関式、時間補正式、季節補正式を組み合わせて統合相関式を生成し、風況予測部１６に入力する。統合相関式は、例えば、モデルデータ１１ａが入力される相関式の出力に時間補正式を適用し、時間補正式の出力に季節補正式を適用する計算式である。なお、季節補正式は、入力されるモデルデータ１１ａに対応する季節に応じた季節補正を適用するように組み合わされる。
【００４０】
風況予測部１６は、相関式生成部１２から入力された統合相関式に基づいてモデルデータ１１ａから設置候補地における風況を予測する。このとき、風況予測部１６は、気象庁システム３０から長期間（例えば、１年間）のモデルデータ１１ａを取得し、長期間の風況データ（予測データ）を生成する。上記のように、地形補正に加えて、時間補正及び季節補正が適用されることで風況予測の精度が向上する。
【００４１】
以上、風況予測システム１０の機能について説明した。
【００４２】
なお、変形例として、風況予測システム１０の一部機能を省略すること、新たな機能を追加すること、少なくとも一部の機能を独立した他のシステムで運用することなども可能である。このような変形例についても本実施形態の技術的範囲に属する。
【００４３】
（２−２．風況予測方法）
ここで、図３を参照しながら、上記の風況予測システム１０を利用した風況予測方法について説明する。図３は、本発明の一実施形態に係る風況予測方法について説明するための説明図である。
【００４４】
図３に示すように、本実施形態に係る風況予測方法は、大きく３つのステップ（1st step, 2nd step, 3rd step）に分けられる。
【００４５】
（1st step）には、候補地での１ヶ月実測（Ｓ１ａ）、候補地を含むグリッド周辺のモデルデータ（１ヶ月）取得（Ｓ１ｂ）、グリッド内地形に基づく補正（Ｓ１ｃ）、そして、相関式生成（Ｓ１ｄ）の工程が含まれる。また、Ｓ１ｄの工程で、時間補正の追加（Ｓ１ｅ）、及び季節補正の追加（Ｓ１ｆ）が行われる。
【００４６】
Ｓ１ａの工程では、実測データ１１ｂの取得が行われる。例えば、ドップラーソーダ２０を候補地に設置し、１ヶ月間にわたり実測データ１１ｂの収集を行う。なお、ここでは１ヶ月間としているが、実測データ１１ｂの収集期間を、１ヶ月より長い期間、或いは、１ヶ月より短い期間に設定してもよい。ドップラーソーダ２０で収集された実測データ１１ｂは、風況予測システム１０の記憶部１１に格納される。
【００４７】
Ｓ１ｂの工程では、対象グリッドにおけるモデルデータ１１ａの取得が行われる。この工程では、実測データ１１ｂと同じ期間（この例では１ヶ月間）のモデルデータ１１ａが取得される。Ｓ１ｃの工程では、地形補正部１３による風況予測シミュレーションにより地形補正データの計算が行われる。なお、Ｓ１ａの工程、及びＳ１ｂ、Ｓ１ｃの工程は並行して実施されてもよい。
【００４８】
Ｓ１ｄの工程では、相関式生成部１２による相関式の生成が行われる。このとき、Ｓ１ｅの工程で時間補正部１４による時間補正式の生成が行われ、相関式の生成に利用される。また、Ｓ１ｆの工程で季節補正部１５による季節補正式の生成が行われる。そして、相関式生成部１２により統合相関式１１ｅが生成され、（2nd step）に工程が進められる。
【００４９】
（2nd step）には、候補地を含むグリッド周辺のモデルデータ（１年間）取得（Ｓ２ａ）、及び候補地の風況予測（１年間）の工程が含まれる。Ｓ２ａの工程では１年間分のモデルデータ１１ａが取得され、Ｓ２ｂの工程では、風況予測部１６によりモデルデータ１１ａ及び統合相関式１１ｅを用いて１年間分の風況予測が行われる。この風況予測の結果を受けて、（3rd step）候補地の評価（Ｓ３）が行われる。
【００５０】
上記のように、候補地で実測データ１１ｂを収集する期間は１ヶ月（長くても数ヶ月）と短くて済み、１年間に数カ所の候補地で実測データ１１ｂを得ることができる。特に、実測データ１１ｂの収集にドップラーソーダ２０を利用すれば、設置及び撤去が容易であるため、上記のような運用が可能になる。もちろん、一部の重要な地点に風況観測タワーを設置するなどの運用にしてもよい。
【００５１】
以上、風況予測方法について説明した。
【００５２】
（２−３．各種補正について）
ここで、上記の地形補正、時間補正、及び季節補正について、さらに説明する。
【００５３】
図４には、ある地点における実測データ１１ｂとモデルデータ１１ａとの風速比比較（実測−モデル比較）を示したグラフ、及び実測データ１１ｂと地形補正データとの風速比比較（実測−補正比較）を示したグラフを示した。図４は、本発明の一実施形態に係る地形補正及び風況予測について説明するための説明図である。
【００５４】
実測−モデル比較のグラフに示すように、１ヶ月間で比較した場合に、実測データ１１ｂとモデルデータ１１ａとの間には乖離がある。一方、モデルデータ１１ａに上記の地形補正を適用すると、実測−補正比較のグラフに示すように、実測データ１１ｂとモデルデータ１１ａとの間の乖離が抑制される。実際、１ヶ月間のデータについて、地形補正により相関係数の改善（Ｒ２＞Ｒ１）が確認されている。
【００５５】
既に説明したように、本実施形態では、地形補正データを利用して相関式を生成し、長期間（１年間）のモデルデータ１１ａ及び相関式から風況予測を行う。
【００５６】
候補地の評価は、通常、１年間分の風況評価を経て行われる。そのため、季節要因を考慮した評価が重要になることがある。図５には、ある地点における季節毎の風況変化（（Ａ）−（Ｃ）の分布図は異なる季節における風況を示している。）を示した。図５は、本発明の一実施形態に係る季節補正について説明するための説明図である。
【００５７】
図５に示した分布図は、Ｎが北、Ｓが南、Ｅが東、Ｗが西を示し、ハッチングを施した部分で風向及び強度（円の外側に行くほど強い）を示している。
【００５８】
図５（Ａ）を参照すると、この季節では、北北西、西北西、南南東の方角に強度のピークがある。また、図５（Ｂ）を参照すると、この季節では、南東から南南東の方角に強く風が吹いている。また、図５（Ｃ）を参照すると、この季節では、西から西北西、南南東から南東の方角に強く風が吹いている。上記の状況では、例えば、北西の方角に風車を向けて設置したときに、図５（Ｂ）の季節で発電効率が極端に低下する。
【００５９】
本実施形態では、上記のような季節変動の要因を考慮して風況予測を実施するため、より確実な候補地の評価を行うことができる。
【００６０】
次に、時間補正について述べる。図６は、本発明の一実施形態に係る時間補正について説明するための説明図である。上述したように、時間補正は、モデルデータ１１ａの元となる風況データの観測地から候補地まで距離がある場合に、その距離を風況が伝搬するのにかかる時間分だけ実測データ１１ｂに生じる遅延を補正する処理である。対象グリッドに既知の観測地がある場合、時間補正が適用できる。
【００６１】
図６の上図は、実測データ１１ｂと時間補正前の地形補正データとを比較したグラフである。本来、ピークａ１とｂ１の位置、ピークａ２とｂ２の位置、ピークａ３とｂ３の位置、ピークａ４とｂ４の位置が時間軸上の同じ位置に来るべきであるが、図６の上図では僅かにずれている。一方、図６の下図は、実測データ１１ｂと時間補正後の地形補正データとを比較したグラフである。この図では上記の各ピークのペアがほぼ一致している。
【００６２】
上記のような遅延の存在は他の気象データ（アメダスなど）からも裏付けられており、遅延時間ｔの分だけ補正することで相関式の精度向上が期待できる。
【００６３】
以上、各種補正について説明した。
【００６４】
（２−４．ハードウェア構成例）
最後に、図７を参照しながら、風況予測システム１０の機能を実現可能な情報処理装置１０Ｈのハードウェア構成例について説明する。図７は、本発明の一実施形態に係る風況予測システムの機能を実現可能な情報処理装置のハードウェア構成例を示したブロック図である。
【００６５】
情報処理装置１０Ｈが有する機能は、例えば、図７に示すハードウェア資源を用いて実現することが可能である。つまり、情報処理装置１０Ｈが有する機能は、コンピュータプログラムを用いて図７に示すハードウェアを制御することにより実現される。
【００６６】
図７に示すように、このハードウェアは、主に、プロセッサ１０ａ、メモリ１０ｂ、表示Ｉ／Ｆ（Interface）１０ｃ、通信Ｉ／Ｆ１０ｄ、及び接続Ｉ／Ｆ１０ｅを有する。
【００６７】
プロセッサ１０ａは、例えば、ＣＰＵ（Central Processing Unit）、ＤＳＰ（Digital Signal Processor）、ＡＳＩＣ（Application Specific Integrated Circuit）、ＦＰＧＡ（Field Programmable Gate Array）などである。メモリ１０ｂは、例えば、ＲＯＭ（Read Only Memory）、ＲＡＭ（Random Access Memory）、ＨＤＤ（Hard Disk Drive）、ＳＳＤ（Solid State Drive）、フラッシュメモリなどの記憶装置である。
【００６８】
表示Ｉ／Ｆ１０ｃは、ＬＣＤ（Liquid Crystal Display）、ＥＬＤ（Electro-Luminescence Display）などのディスプレイデバイスを接続するためのインターフェースである。例えば、表示Ｉ／Ｆ１０ｃは、プロセッサ１０ａや表示Ｉ／Ｆ１０ｃに搭載されたＧＰＵ（Graphic Processing Unit）により表示制御を実施する。
【００６９】
通信Ｉ／Ｆ１０ｄは、有線及び／又は無線のネットワークに接続するためのインターフェースである。通信Ｉ／Ｆ１０ｄは、例えば、有線ＬＡＮ（Local Area Network）、無線ＬＡＮ、光通信ネットワーク、携帯電話ネットワークなどに接続される。
【００７０】
接続Ｉ／Ｆ１０ｅは、外部デバイスを接続するためのインターフェースである。接続Ｉ／Ｆ１０ｅは、例えば、ＵＳＢ（Universal Serial Bus）ポート、ＩＥＥＥ１３９４ポート、ＳＣＳＩ（Small Computer System Interface）などである。
【００７１】
接続Ｉ／Ｆ１０ｅには、例えば、キーボード、マウス、タッチパネル、タッチパッドなどの入力インターフェースが接続されうる。また、接続Ｉ／Ｆ１０ｅには、スピーカなどのオーディオデバイスやプリンタなどが接続されうる。また、接続Ｉ／Ｆ１０ｅには、可搬性の記録媒体１０ｆが接続されうる。記録媒体１０ｆは、例えば、磁気記録媒体、光ディスク、光磁気ディスク、半導体メモリなどである。
【００７２】
上述したプロセッサ１０ａは、記録媒体１０ｆに格納されたプログラムを読み出してメモリ１０ｂに格納し、メモリ１０ｂから読み出したプログラムに従って情報処理装置１０Ｈの動作を制御することができる。なお、情報処理装置１０Ｈの動作を制御するプログラムは、メモリ１０ｂに予め格納されていてもよいし、通信Ｉ／Ｆ１０ｄを介してネットワークからダウンロードされてもよい。
【００７３】
なお、上述した風況予測システム１０が有する記憶部１１の機能は、メモリ１０ｂを用いて実現可能である。また、上述した相関式生成部１２、地形補正部１３、時間補正部１４、季節補正部１５、及び風況予測部１６の機能は、プロセッサ１０ａを用いて実現可能である。
【００７４】
以上、情報処理装置１０Ｈのハードウェアについて説明した。
【００７５】
以上、本発明の実施形態について説明した。
【００７６】
（変形例について）
上記の説明では、実測データ１１ｂの収集にドップラーソーダ２０を利用する例を示したが、例えば、ドップラーライダを利用してもよいし、ドップラーライダや風況観測タワーを組み合わせて利用してもよい。また、上記の説明では、モデルデータ１１ａの例としてＭＳＭデータを示したが、他の予測データを利用してもよい。また、実測データ１１ｂの収集期間や、風況予測の期間は上記の例に限定されず、実施の態様に応じて変形可能である。このような変形についても、当然に本実施形態の技術的範囲に属する。
【符号の説明】
【００７７】
１０  風況予測システム
１１  記憶部
１１ａ  モデルデータ
１１ｂ  実測データ
１１ｃ  観測地情報
１１ｄ  季節データ
１１ｅ  統合相関式
１２  相関式生成部
１３  地形補正部
１４  時間補正部
１５  季節補正部
１６  風況予測部
２０  ドップラーソーダ
３０  気象庁システム
ＮＷ  ネットワーク
【図１】
2020159725.tif 000003
【図２】
2020159725.tif 000004
【図３】
2020159725.tif 000005
【図４】
2020159725.tif 000006
【図５】
2020159725.tif 000007
【図６】
2020159725.tif 000008
【図７】
2020159725.tif 000009